(57)【要約】【課題】敷地が狭小で不陸が大きい場合でも設置可能な架台を提供すること。【解決手段】架台１は、太陽光パネル２を支持する。この架台１は、太陽光パネル２が載置される面状の枠部１０と、地表面から上方に延びて枠部１０を支持する単一の支持部２０と、を備える。枠部１０は、桁行方向に延びる複数の桁行部材１１と、これら桁行部材１１に交差して梁間方向に延びる複数の梁間部材１２と、を備える。支持部２０は、地表に突出して枠部１０に連結される円筒柱状の支柱２１と、この支柱２１から上方に延びて枠部１０に連結される４本の方杖２２と、を備える。方杖２２と枠部１０との連結点１３Ｂは、長方形状に配置される。支柱２１の所定の高さ位置には、この支柱２１の周囲を囲む円環状のリングジョイント２３が取り付けられ、方杖２２の下端部は、リングジョイント２３に連結される。【選択図】図１
2014084700.tif 000002
【特許請求の範囲】
【請求項１】
太陽光パネルを支持する架台であって、
前記太陽光パネルが載置される面状の枠部と、地表面から上方に延びて前記枠部を支持する単一の支持部と、を備え、
前記枠部は、桁行方向に延びる複数の桁行部材と、当該桁行部材に略直交して梁間方向に延びる複数の梁間部材と、を備え、
前記支持部は、地表に突出して前記枠部に連結される柱状の支柱と、当該支柱から上方に延びて前記枠部に連結される少なくとも２本の方杖と、を備え、
前記支柱および前記方杖と前記枠部との連結点は、多角形状に配置され、
前記支柱の所定の高さ位置には、当該支柱の周囲を囲む環状のリングが取り付けられ、
前記方杖の下端部は、当該リングに連結されることを特徴とする架台。
【請求項２】
前記リングには、外周に沿って所定間隔おきに複数の貫通孔が形成されており、
前記方杖の下端部は、前記複数の貫通孔の中から適宜選択したものに挿通されて固定されることを特徴とする請求項１に記載の架台。
【発明の詳細な説明】
【技術分野】
【０００１】
本発明は、架台に関する。詳しくは、太陽光パネルを支持する架台に関する。
【背景技術】
【０００２】
従来より、太陽光の光エネルギを用いて電気を発生させる太陽光パネルが知られている（特許文献１参照）。この太陽光パネルは、広大な土地に最も発電効率のよい角度で傾斜して設置される。
【０００３】
このような太陽光パネルを支持するため、例えば、以下のような架台が提案されている（特許文献１参照）。
すなわち、太陽光パネルが搭載される矩形状の桟と、この桟を支持する複数の支持部と、を備える。
桟は、桁行方向に延びる複数本の横桟と、梁間方向に延びる複数本の縦桟とを格子状に組み合わせて構成される。また、この桟は、桁行方向の横桟が略水平で、かつ、梁間方向の縦桟の一端側が他端側よりも低くなるように傾斜している。
【０００４】
支持部は、平坦な敷地に複数並んで設置されている。各支持部は、略鉛直に延びて上端で桟に接続されるＨ鋼からなる１本の支柱と、この支柱を挟んで設けられて支柱の下端側から斜めに延びて桟に接続される断面ハット形状の鋼材からなる一対のアームと、を備える。ここで、各支持部の支柱および一対のアームは、１本の縦桟に連結される。これにより、支柱および一対のアームは、一直線上に配置されることになる。
【０００５】
この架台では、各支持部の支柱および一対のアームならびにこれらが接続される１本の縦残とでトラスが構成されるため、太陽光パネルを安定的に支持できる。
【先行技術文献】
【特許文献】
【０００６】
【特許文献１】特開２０１１−２２００９６号公報
【発明の概要】
【発明が解決しようとする課題】
【０００７】
しかしながら、以上の架台では複数の支持部が必要となるため、敷地が狭小で不陸が大きい場合には、架台を設置できないおそれがあった。
【０００８】
本発明は、敷地が狭小で不陸が大きい場合でも設置可能な架台を提供することを目的とする。
【課題を解決するための手段】
【０００９】
請求項１に記載の架台（例えば、後述の架台１）は、太陽光パネル（例えば、後述の太陽光パネル２）を支持する架台であって、前記太陽光パネルが載置される面状の枠部（例えば、後述の枠部１０）と、地表面から上方に延びて前記枠部を支持する単一の支持部（例えば、後述の支持部２０）と、を備え、前記枠部は、桁行方向に延びる複数の桁行部材（例えば、後述の桁行部材１１）と、当該桁行部材に交差して梁間方向に延びる複数の梁間部材（例えば、後述の梁間部材１２）と、を備え、前記支持部は、地表に突出して前記枠部に連結される柱状の支柱（例えば、後述の支柱２１）と、当該支柱から上方に延びて前記枠部に連結される少なくとも２本の方杖（例えば、後述の方杖２２）と、を備え、前記支柱および前記方杖と前記枠部との連結点（例えば、後述の連結点１３Ａ、１３Ｂ）は、多角形状に配置され、前記支柱の所定の高さ位置には、当該支柱の周囲を囲む環状のリング（例えば、後述のリングジョイント２３）が取り付けられ、前記方杖の下端部は、当該リングに連結されることを特徴とする。
【００１０】
この発明によれば、各支持部において、枠部、支柱、および方杖で立体トラスを構成する。すなわち、この立体トラスは、リングを頭頂点とし、支柱および方杖と枠部との連結点からなる多角形を底面とする多角錐を構成し、この多角錐を上下逆さにした形状となる。よって、太陽光パネルを安定的に支持できるとともに、梁間方向の荷重のみならず、桁行方向を含めた全ての方向の荷重に対しても、十分に抵抗できる。
また、支持部を単一としたので、敷地が狭小で不陸が大きい場合でも設置可能である。
【００１１】
請求項２に記載の架台は、前記リングには、外周に沿って所定間隔おきに複数の貫通孔（例えば、後述の貫通孔２３１）が形成されており、前記方杖の下端部は、前記複数の貫通孔の中から適宜選択したものに挿通されて固定されることを特徴とする。
【００１２】
この発明によれば、リングの外周に沿って貫通孔を所定間隔おきに設けたので、方杖とリングとの連結箇所を適宜変更することで、方杖の本数を自在に増減できる。
【発明の効果】
【００１３】
本発明によれば、各支持部において、枠部、支柱、および方杖で立体トラスを構成する。すなわち、この立体トラスは、リングを頭頂点とし、支柱および方杖と枠部との連結点からなる多角形を底面とする多角錐を構成し、この多角錐を上下逆さにした形状となる。よって、太陽光パネルを安定的に支持できるとともに、梁間方向の荷重のみならず、桁行方向を含めた全ての方向の荷重に対しても、十分に抵抗できる。また、支持部を単一としたので、敷地が狭小で不陸が大きい場合でも設置可能である。
【図面の簡単な説明】
【００１４】
【図１】本発明の第１実施形態に係る架台の斜視図である。
【図２】前記実施形態に係る架台の側面図である。
【図３】本発明の第２実施形態に係る架台の斜視図である。
【図４】前記実施形態に係る架台の側面図である。
【発明を実施するための形態】
【００１５】
以下、本発明の実施形態を図面に基づいて説明する。なお、以下の実施形態の説明にあたって、同一構成要件については同一符号を付し、その説明を省略もしくは簡略化する。
〔第１実施形態〕
図１は、本発明の第１実施形態に係る架台１の斜視図であり、図２は、架台１の側面図である。
【００１６】
架台１は、太陽光パネル２を支持するものであり、太陽光パネル２が載置される面状の枠部１０と、地表面から上方に延びて枠部１０を支持する単一の支持部２０と、を備える。
【００１７】
枠部１０は、桁行方向（図１中Ｘ方向）に延びる複数本の桁行部材１１と、これら桁行部材１１に略直交して梁間方向（図１、図２中Ｙ方向）に延びる複数本の梁間部材１２と、を備える。桁行部材１１と梁間部材１２とは、田の字形状に配置されている。
【００１８】
各支持部２０は、地表面に露出した円筒柱状の支柱２１と、この支柱２１から上方に延びて枠部１０に連結される４本の方杖２２と、を備える。
【００１９】
支柱２１は円筒形状であり、地盤に打ち込まれている。また、この支柱２１の上端面は、枠部１０の桁行部材１１と梁間部材１２との交点に連結されている。この支柱２１と枠部１０との連結箇所を連結点１３Ａとすると、連結点１３Ａは、枠部１０の中央に位置している。
【００２０】
４本の方杖２２は、同一の断面形状であり、これら方杖２２の上端部は、枠部１０の桁行部材１１と梁間部材１２との交点に連結されている。この方杖２２と枠部１０との連結箇所を連結点１３Ｂとすると、連結点１３Ｂは、枠部１０の四隅に位置している。
一方、方杖２２の下端部は、支柱２１の所定の高さ位置に連結されている。
【００２１】
支柱２１の所定の高さ位置には、この支柱２１の周囲を囲む円環状のリングジョイント２３が取り付けられている。方杖２２の下端部は、リングジョイント２３の外周に沿って等間隔おきに連結されている。
具体的には、リングジョイント２３には、外周に沿って所定間隔おきに複数の貫通孔２３１が形成されており、方杖２２の下端部は、これら複数の貫通孔２３１の中から適宜選択したものに挿通されて固定されている。
【００２２】
また、桁行部材１１、梁間部材１２、支柱２１、およびこれら４本の方杖２２で立体トラスを構成する。すなわち、この立体トラスは、リングジョイント２３を頭頂点とし、方杖２２の連結点１３Ｂからなる長方形を底面とする四角錐を構成して、この四角錐を上下逆さにした形状となる。
【００２３】
以上の架台１は、例えば以下の手順で構築される。
まず、支柱２１を地盤に打ち込んで、その後、この支柱２１にリングジョイント２３を取り付ける。次に、リングジョイント２３に４本の方杖２２を取り付けて、これら方杖２２上に枠部１０を載せて方杖２２と接合し、その後、枠部１０上に太陽光パネル２を設置する。
【００２４】
本実施形態によれば、以下のような効果がある。
（１）各支持部２０において、枠部１０、支柱２１、および４本の方杖２２で立体トラスを構成する。よって、太陽光パネルを安定的に支持できるとともに、梁間方向の荷重のみならず、桁行方向を含めた全ての方向の荷重に対しても、十分に抵抗できる。
また、支持部２０を単一としたので、敷地が狭小で不陸が大きい場合でも設置可能である。
【００２５】
（２）リングジョイント２３の外周に沿って貫通孔２３１を所定間隔おきに設けたので、方杖２２とリングジョイント２３との連結箇所を適宜変更することで、方杖２２の本数を自在に増減できる。
【００２６】
（３）支柱２１および各方杖２２を桁行部材１１と梁間部材１２との交点である連結点１３Ｂに連結したので、架台１の剛性を向上できる。
【００２７】
（４）各支持部２０における４本の方杖２２の断面形状を略同一とした。よって、方杖２２の部材の種類を少なくできるから、施工コストを低減できるうえに、方杖に用いる部材の品質管理が容易となる。
また、各支持部の４本の方杖２２について、枠部１０に連結される仕口の形状を統一でき、製作コストをさらに低減できる。
【００２８】
〔第２実施形態〕
図３は、本発明の第２実施形態に係る架台１Ａの斜視図であり、図２は、架台１Ａの側面図である。
【００２９】
本実施形態では、方杖の本数が２本である点が、第１実施形態と異なる。
すなわち、支柱２１の上端面は、枠部１０の桁行部材１１と梁間部材１２との交点に連結されている。この支柱２１と枠部１０との連結箇所を連結点１３Ａとすると、連結点１３Ａは、枠部１０の外周の四辺のうちの一辺の中央に位置している。
【００３０】
また、方杖２２の上端部は、枠部１０の桁行部材１１と梁間部材１２との交点に連結されている。この方杖２２と枠部１０との連結箇所を連結点１３Ｂとすると、連結点１３Ｂは、枠部１０の連結点１３Ａから離れた２つの角部に位置している。
【００３１】
本実施形態においても、桁行部材１１、梁間部材１２、支柱２１、およびこれら２本の方杖２２で立体トラスを構成する。すなわち、この立体トラスは、リングジョイント２３を頭頂点とし、支柱２１の連結点１３Ａおよび方杖２２の連結点１３Ｂからなる三角形を底面とする三角錐を構成して、この三角錐を上下逆さにした形状となる。
【００３２】
本実施形態によれば、上述の（１）〜（４）と同様の効果がある。
【００３３】
なお、本発明は前記実施形態に限定されるものではなく、本発明の目的を達成できる範囲での変形、改良等は本発明に含まれるものである。
例えば、上述の各実施形態では、支持部２０を構成する方杖２２の本数を４本あるいは２本としたが、これに限らず、３本としてもよいし、あるいは５本以上としてもよい。
【００３４】
また、上述の各実施形態では、支柱２１を円筒柱状としたが、これに限らず、支柱の断面形状は特に限定されない。
また、桁行部材１１、梁間部材１２、および方杖２２について、断面形状は特に限定されない。
【符号の説明】
【００３５】
１、１Ａ…架台
２…太陽光パネル
１０…枠部
１１…桁行部材
１２…梁間部材
１３Ａ、１３Ｂ…連結点
２０…支持部
２１…支柱
２２…方杖
２３…リングジョイント（リング）
２３１…貫通孔
【図１】
2014084700.tif 000003
【図２】
2014084700.tif 000004
【図３】
2014084700.tif 000005
【図４】
2014084700.tif 000006